(57)【要約】【課題】リニアモータ、冷却装置圧縮機、冷却装置及びリニアモータにおいて適用可能な固定子の提供。【解決手段】少なくとも１つの空隙領域１０を画定する固定子２と、固定子２に関連する少なくとも１つのコイル３と、を具備するリニアモータ１であって、磁束は、固定子２の少なくとも一部分の上及び空隙領域１０の一部分の上を移動し、リニアモータ１は、空隙領域１０に配設された、磁性体５を具備し、空隙領域１０内の磁性体５の運動パラメータは、リニアモータ１のピストン７の運動を引き起こし、リニアモータ１は、空隙領域１０内で且つ磁性体５に隣接して配設された、少なくとも１つの透磁性要素２０、２０Ａ、２０Ｂを更に具備し、磁性体５の運動パラメータは、透磁性要素２０、２０Ａ、２０Ｂの運動パラメータと協働する、リニアモータ１が開示されている。本発明は、圧縮機と冷却装置とリニアモータにおいて適用可能な固定子２にも関連する。【選択図】図１
2020089251.tif 000002
【特許請求の範囲】
【請求項１】
少なくとも１つの空隙領域（１０）を画定する固定子（２）と、
前記固定子（２）に関連する少なくとも１つのコイル（３）とを具備する、リニアモータ（１）において、
磁束（４）は、前記固定子（２）の少なくとも一部分の上及び前記空隙領域（１０）の一部分の上を移動し、
前記リニアモータ（１）は、前記空隙領域（１０）に配設された磁性体（５）を具備し、
前記空隙領域（１０）内の前記磁性体（５）の運動パラメータは、前記リニアモータ（１）のピストン（７）の運動を引き起こし、
更に前記リニアモータ（１）が、前記空隙領域（１０）内で且つ前記磁性体（５）に隣接して配設された、少なくとも１つの透磁性要素（２０）を具備し、
前記磁性体（５）の前記運動パラメータが、前記透磁性要素（２０）の運動パラメータと協働する、ことを特徴とするリニアモータ（１）。
【請求項２】
前記透磁性要素（２０）は、第１の構成部分（２０Ａ）と第２の構成部分（２０Ｂ）とにより形成される、ことを特徴とする請求項１に記載のリニアモータ（１）。
【請求項３】
前記第１の構成部分及び前記第２の構成部分は、前記磁性体（５）の対向する端部に配設される、ことを特徴とする請求項２に記載のリニアモータ（１）。
【請求項４】
前記第１の構成部分（２０Ａ）は、第１の透磁性材料により形成され、前記第２の構成部分（２０Ｂ）は、第２の透磁性材料により形成される、ことを特徴とする請求項３に記載のリニアモータ（１）。
【請求項５】
前記第１の透磁性材料及び前記第２の透磁性材料は強磁性材料である、ことを特徴とする請求項４に記載のリニアモータ（１）。
【請求項６】
前記第１の透磁性材料及び前記第２の透磁性材料の内の少なくとも一方は鉄である、ことを特徴とする請求項５に記載のリニアモータ（１）。
【請求項７】
前記第１の構成部分（２０Ａ）及び前記第２の構成部分（２０Ｂ）の内の少なくとも一方は、前記透磁性要素（２０）に沿って順次配置された複数の鋼製刃（２５）により形成される、ことを特徴とする請求項５に記載のリニアモータ（１）。
【請求項８】
前記透磁性要素（２０）から前記磁性体（５）までの第１の距離（Ｄ１）は、前記磁性体（５）の厚さ（Ｅ）以下である、ことを特徴とする請求項６又は７に記載のリニアモータ（１）。
【請求項９】
前記固定子（２）の境界限界（Ａ、Ａ’）は、前記固定子（２）の端面（２Ａ、２Ｂ）により画定され、
前記磁性体（５）の前記運動パラメータの最外点において、前記第１の構成部分（２０Ａ）及び前記第２の構成部分（２０Ｂ）の内の一方は、前記境界限界（Ａ、Ａ’）を超える点まで移動する、ことを特徴とする請求項７に記載のリニアモータ（１）。
【請求項１０】
前記第１の構成部分（２０Ａ）及び前記第２の構成部分（２０Ｂ）の内の一方が前記境界限界（Ａ）を超えた点まで移動する一方で、前記隣接する構成部分は大部分が前記空隙領域（１０）内に配設される、ことを特徴とする請求項８に記載のリニアモータ（１）。
【請求項１１】
前記磁性体（５）の前記運動パラメータの最外点において、前記磁性体（５）の第１の面（５Ａ）と第２の面（５Ｂ）の内の一方が、前記境界限界（Ａ、Ａ’）の一方に配設される一方で、前記対向する面（５Ａ、５Ｂ）は、前記リニアモータ（１）の空隙シャフト（Ｃ、Ｃ’）に配設される、ことを特徴とする請求項９に記載のリニアモータ（１）。
【請求項１２】
前記空隙シャフト（Ｃ、Ｃ’）は、前記固定子（２）の内面（２Ｃ、２Ｃ’）により画定される、ことを特徴とする請求項１１に記載のリニアモータ（１）。
【請求項１３】
前記第１の構成部分（２０Ａ）及び前記第２の構成部分（２０Ｂ）は、寸法的に同一であることを特徴とする請求項１２に記載のリニアモータ（１）。
【請求項１４】
前記第１の構成部分（２０Ａ）及び前記第２の構成部分（２０Ｂ）は、お互いに寸法的に異なることを特徴とする請求項１２に記載のリニアモータ（１）。
【請求項１５】
各空隙領域（１０）は、唯一つの単一の磁性体（５）を具備する、ことを特徴とする請求項１３又は１４に記載のリニアモータ（１）。
【請求項１６】
請求項１〜１５のいずれか一項に記載のリニアモータ（１）を具備する、ことを特徴とする冷却装置圧縮機。
【請求項１７】
請求項１〜１５のいずれか一項に記載のリニアモータ（１）を具備する、ことを特徴とする冷却装置。
【請求項１８】
リニアモータ（１）において適用可能な固定子（２）において、
前記固定子（２）が、少なくとも１つの空隙領域（１０）を画定し、更に該固定子（２）に関連する少なくとも１つのコイル（３）を更に具備し、
磁束（４）は、前記固定子（２）の少なくとも一部分の上及び前記空隙領域（１０）の一部分の上を移動し、
前記固定子（２）は、前記空隙領域（１０）に配設された磁性体（５）を具備し、
前記固定子（２）が、前記空隙領域（１０）内で且つ前記磁性体（５）に隣接して配設された、少なくとも１つの透磁性要素（２０）を更に具備し、
前記空隙領域（１０）内の前記磁性体（５）の運動パラメータは、前記透磁性要素（２０）の前記運動パラメータと協働する、ことを特徴とする固定子（２）。
【発明の詳細な説明】
【技術分野】
【０００１】
本発明は、リニアモータに関する。より具体的には、本発明は、リニアモータに適用され、リニアモータにより生成される磁束変化を増大させるトポロジー（位相数学）に関する。
【背景技術】
【０００２】
リニアモータは、冷蔵庫の範囲内（冷蔵庫／冷凍庫）又は環境の冷却（環境順応）の何れかにおいて、圧縮機（リニア（直線型））を駆動するための冷却システムにおいて通常使用される。
【０００３】
より具体的には、リニア圧縮機は通常、シリンダ内において運動するピストンにより構成される。シリンダ内からの低圧ガスの吸入と高圧ガスの吐出とを調整する、吸入及びガス吐出弁が、このシリンダのヘッド（頭部）に配置される。有効な方式において、吸入弁は、リニアモータのピストンに直接的に配設されてもよい。リニア圧縮機のシリンダ内におけるピストンの軸方向運動は、吸入弁を介して吸い込まれたガスを圧縮し、ガスの圧力を高め、そしてガスを吐出弁を介して高圧領域へ放出する。
【０００４】
該ピストンは、ピストンの変位が対応する磁石の変位を引き起こすように、及びその逆になるように、少なくとも１つの磁性体（磁石）に結合される。リニアモータにおいて、磁性体の変位は、空隙と呼ばれる区域において生じる。
【０００５】
従って、特定の領域（空隙）内の磁石の動きは、ピストンの運動、ひいては冷却ガスの吸入及び圧縮を引き起こし、従って冷却サイクルを開始する。
【０００６】
基本的に、３つの主な要因、（ｉ）性能パラメータ、（ｉｉ）モータのコスト、及び（ｉｉｉ）そのサイズ（寸法）決定、を考慮して、リニアモータの設計／製造における最適点による絶え間ない研究が存在する。
【０００７】
明らかに、リニアモータは、十分な効率と低いエネルギー消費とを有するように、騒音又は震えをなくすように、更にサイズ決定及び製造コストを削減するように設計されなければならない。
【０００８】
最新技術において現在知られているリニアモータの様々な型式が存在し、その様な型式間の相違は、中でも、簡潔固定子（シンプル）、二重式固定子、短い固定子及び短い回転子等の固定子及び回転子の配列及び配置と、既存の磁性体の数量と、に関連してもよい。本発明の教示は、これらの型式のいずれにも適用可能である。
【０００９】
リニアモータの既知のトポロジーの１つは、固定子がＵ字形であるトポロジーに関し、基本的に使用されるものは、空隙部分を介して移動する、単一の磁石である（基本的に、磁石は、該「Ｕ字」の２本の脚部間において移動する）。
【００１０】
このトポロジーにおいて見られる問題の内の１つは、磁石の移動により発生する小さな磁束変化に関連し、従って磁束変化が特定の電力を発揮できるようにモータのサイズの増大を必要とする。
【００１１】
モータ内に発生する磁束変化を増大させる方法の１つは、その空隙において２つの磁性体を使用することにより構成され、従ってＥ字形状の固定子を通常使用する。しかしながら、そしてモータの主なコストがその磁石から生じることを考慮すると、例え磁石がコンパクト化されたモータを達成することを可能にしたとしても、該構成は、経済的事項（製造コスト）において非現実的になる。
【００１２】
従って、フラット（平坦な）トポロジーを有するリニアモータの磁束変化を増大させる方法と、モータ効率パラメータを満足させる方法と、そのサイズ決定及びコスト削減を維持する方法とについて、最新技術において絶え間ない研究が存在する。
【００１３】
既に述べたように、提案されたリニアモータがより多くの数量の磁石を具備することは十分ではなく、リニアモータがより大量の磁石を具備することは、その製造（及び販売）コストを最終的に増加させる。
【００１４】
従って、本発明は、空隙領域が唯一つの磁性体を具備するが、しかしリニアモータは、１つより多い磁石を使用する時に得られるものと同様の流れ変動をもたらす、フラットトポロジーを有するリニアモータを提案する。
【００１５】
従って、本明細書で提案されるトポロジーは、空隙領域内に且つ磁性体に隣接して配設された、高透磁性要素を使用し、該透磁性要素は、磁性体の移動に従って移動する、即ち、前により良好に説明したように、両者は協働運動を有する。
【発明の概要】
【発明が解決しようとする課題】
【００１６】
本発明の目的は、平坦なトポロジーを有するリニアモータを提供することである。
【００１７】
本発明の更なる目的は、空隙領域内に及び磁性体に隣接して配設された透磁性要素を備えた、リニアモータの提案である。
【００１８】
本発明の更なる目的は、透磁性要素が磁性体の移動と協働する移動を有するという事実からなる。
【００１９】
本発明の別の目的は、各構成部分がリニアモータの磁性体の対向する端部に配設される、２つの構成部分への透磁性要素の構成である。
【００２０】
本発明の更なる目的は、透磁性要素の２つの構成部分が強磁性材料により形成される、リニアモータの形態により構成される。
【００２１】
本発明の別の目的は、第１と第２の構成部分の内の少なくとも一方が鉄製であるという提案である。
【００２２】
また、本発明で提案されたリニアモータを備えたリニア圧縮機が、該リニア圧縮機を使用する冷却装置に加えて提案される。
【００２３】
本発明の別の目的は、リニアモータにおいて適用可能な固定子の提案である。
【課題を解決するための手段】
【００２４】
本発明の目的は、少なくとも１つの空隙領域を画定する固定子と、固定子に関連する少なくとも１つのリール（糸巻機）（コイル）と、を具備するリニアモータにより達成され、磁束は、固定子の少なくとも一部分の上及び空隙領域の一部分の上を移動し、リニアモータは、空隙領域に配設された磁性体を具備し、空隙領域内の磁性体の運動パラメータ（媒介変数）は、リニアモータのピストンの運動を引き起こす。
【００２５】
リニアモータは、空隙領域内で且つ磁性体に隣接して配設された、少なくとも１つの透磁性要素を更に具備し、磁性体の運動パラメータは、透磁性要素の運動パラメータと協働する。
【００２６】
本発明は以下で、図面に示される実施の形態の一例に基いてより詳細に説明される。
【図面の簡単な説明】
【００２７】
【図１】図１は、本発明において提案されるようなリニアモータを受容可能なリニア圧縮機を示す。
【図２】図２は、最新技術において知られるリニアモータのトポロジーを示し、空隙領域を通る磁性体の運動パラメータを更に強調し、図２（ａ）は、固定子の境界限界の１つに隣接する、その最大変位時の磁性体を示し、図２（ｂ）は、その中間変位における磁性体を示し、更に図２（ｃ）は、図２（ａ）に示される変位に対向するその最大変位における磁性体を示す。
【図３】図３は、最新技術において知られていて且つ本発明の教示を吸収可能であろう、リニアモータの追加的なトポロジーを示す。
【図４】図４は、最新技術で知られていて且つ本発明の教示を吸収可能なリニアモータの追加的なトポロジーを示し、空隙領域内の磁石の変位及び更に固定子の境界限界を更に示し、図４（ａ）は、境界限界の１つまでの磁石の最大変位を示し、図４（ｂ）は、磁石の中間変位を示し、更に図４（ｃ）は、図４（ａ）に示されるものに対向する境界限界までの磁石の最大変位を示す。
【図５】図５は、本発明において提案された教示を具備するリニアモータのトポロジーを示し、リニアモータは磁性体の移動と協働する透磁性移動要素を具備し、図５（ａ）及び５（ｂ）は、磁石の変位がその最外側限界に到達する、リニアモータを示し、更に図５（ｃ）は、磁石の変位が図５（ａ）及び図５（ｃ）の表示の中間点にある、リニアモータを示す。
【図６】図６は、本発明において提案された教示を具備するリニアモータのトポロジーを示し、透磁性要素の各構成部分は、特定のサイズを具備し、図６（ａ）及び６（ｂ）は、磁性体の最大変位の点を示す。
【図７】図７は、本発明において提案された教示を具備するリニアモータの追加的なトポロジーを示し、リニアモータは、磁性体の移動と協働する透磁性移動要素を具備し、図７（ａ）及び７（ｂ）は、磁石の変位がその最外側限界に達したリニアモータを示す。
【図８】図８は、最新技術において知られるモータと、本発明において提案された教示を具備するモータと、についての磁石の変位に基づく磁束変化率のグラフを示す。
【図９】図９は、本発明の教示を具備するリニアモータの移動体の図であり、複数の鋼製刃に基づく透磁性要素の形成、並びに移動体における透過性要素と磁性体との配列の形態を示す。
【図１０】図１０は、本発明において提案された教示を具備するリニアモータの追加的な図であり、透磁性要素と磁性体との間の第１の距離と、更に磁性体の厚さと、をやはり強調する。
【図１１】図１１は、図１０のリニアモータの追加的な図を示し、空隙領域の外側における透磁性要素の第２の構成部分の一部の配置を強調する。
【図１２】図１２は、図１０に示されるリニアモータの追加的な図を示し、該図において示されるものに対向する運動パラメータを示す。
【図１３】図１３は、図１２に示されるリニアモータの追加的な図を示し、空隙領域の外側への、透磁性要素の第１の構成部分の一部の配置を強調する。
【発明を実施するための形態】
【００２８】
本発明は、リニアモータ１に係わり、より具体的には、冷却システムのリニア圧縮機３０において使用可能なリニアモータ１に関する。
【００２９】
冷却システムは、特定の環境又は製品を冷却する／環境順応させるように特定の冷却ガスが使用される、任意のシステムであると理解される。本発明のこの構成において、冷却システムは、冷却装置（冷凍庫又は冷蔵庫等）又は空調装置であると理解できる。
【００３０】
図１は、本発明において提案されるようなリニアモータ１を受容可能なリニア圧縮機３０を示す。本説明は、本発明で提案されたリニアモータ１を完全に理解するために、リニア圧縮機３０の関連する特性に集中する。
【００３１】
従って、及び当業者に知られているように、リニア圧縮機３０は、その最上端部において、弁頭とも呼ばれる一群の弁を有するシリンダ３１を具備する。この一群の弁は、低圧においてガスをシリンダ３１内へ流入させる吸入弁３２と、高圧においてガスをシリンダ３１から流出させる吐出ガス弁３３と、を具備する。
【００３２】
リニア（直線型）圧縮機３０は、シリンダ３１内を移動してシリンダ３１と共に共振セット（集合体）を構成する、ピストン３４を更に具備する。シリンダ３１の内部において、ピストン３４が交互の直線運動を行い、吸入弁３２によりシリンダ３１の内部に吸い込まれたガスに対して、このガスが吐出弁３３により高圧側に吐出可能な点まで、圧縮作用を実施する。
【００３３】
ピストン３４の変位が磁石５の対応する変位を引き起こすように、及びその逆を引き起こすように、ピストン３４がリニアモータの少なくとも１つの磁性体５（磁石）に結合されることもまた図１より分かる。磁石５は、図１に見られるように、ピストン３４の外面の周りに配設されることが好ましい。代替形態において、磁石５は、異なる方法でピストンに接続されてもよく、例えば、ピストンに接続されるロッドに固定されてもよい。ピストンに磁石５をピストン３４に固定する形態は、本発明の本質的な特徴を指すものではない。
【００３４】
リニア圧縮機３０及びより具体的にはそのリニアモータ１は、コイル３に関連する固定子２を更に具備し、そして該コイル３は、リニアモータ１を動作させる原因となる磁界を生成するように電力を供給される必要がある。また、空隙領域１０が固定子２の隣に配設されること、及びそこ（空隙領域１０）において、リニアモータの適正な動作を可能にするように該磁性体５が移動する必要があることが分かる。
【００３５】
図１が本発明で提案された教示を効果的に例示しておらず、及びこの図は圧縮機３０及び圧縮機３を形成する主な要素の理解を深めるためにのみ使用されていることを強調する価値がある。より良好に前述されたように、本発明は、その教示を空隙領域１０と、リニア圧縮機３０の磁性体５と、に焦点を合わせる。
【００３６】
リニア圧縮機３０の磁石５に関して、及び既に前述されたように、磁石５は、圧縮機３０のピストン３４の運動をもたらすように、空隙領域１０を介して運動する必要がある。従って、磁石５（磁性体）が空隙領域１０内における運動パラメータを確立することが、理解される。言い換えれば、磁石５の運動パラメータは、空隙１０内における磁石５の運動（変位）として理解されるべきである。
【００３７】
この意味において、図２は、最新技術において知られるリニアモータのトポロジーを示し、固定子２とコイル３と磁石５と空隙１０とが示される。
【００３８】
より具体的には、図２は、Ｕ字型トポロジーを有するリニアモータにおける間隙１０を通る磁性体５の運動パラメータを示し、磁性体５が、固定子２の境界限界ＡとＡ’（境界限界Ａ及びＡ’は、図２（ａ）に明示的に示される）との間で移動することが分かる。
【００３９】
従って、図２（ａ）は、境界限界Ａに隣接するその最大変位における磁性体５を示し、図２（ｂ）は、その中間変位における磁性体５を示し、そして図２（ｃ）は、境界限界Ａ’に隣接するその最大変位における磁石５を示す。
【００４０】
図３は、Ｕ字形の固定子２を有するリニアモータ１の追加的なトポロジーを示し、固定子２に対するコイル３の関係の追加的な形態を示す。空隙領域１０は、磁石５と共にこの図において示される。
【００４１】
図４は、最新技術においてＥ字形状トポロジーとして知られる、リニアモータのトポロジーを示し、該用語は、固定子２の形状に由来する。この構成において、２つの磁性体５及び５’が空隙１０に沿って移動することが分かる。正確には、空隙１０内に配設された２つの磁石５、５’を有することにより、このトポロジーは、より大きな磁束変化率を最終的に提供する。他方において、モータの製造コストもまた上昇する。
【００４２】
図４（ａ）は、固定子２の境界限界Ａ、Ａ’の図を示す。従って、図４（ａ）は、境界限界Ａまでの磁石５の最大変位を表し、図４（ｂ）は、磁石５及び５’の中間変位を示し、そして図４（ｃ）は、磁石５’が境界限界Ａ’まで移動する、磁石５及び５’の最大変位を示すことが理解される。
【００４３】
従って、図１〜４は、本発明の教示を吸収可能な圧縮機及びリニアモータの非網羅的な図である。
【００４４】
この意味において、図５は、本発明において提案された教示を具備するリニアモータ１の固定子２の図を示す。
【００４５】
図１から４を扱う時に前述した要素は、後続の図においても再度示され、同じ参照番号が使用される。従って、固定子２と、空隙１０内を移動する磁性体５と、同様に固定子２に関連するコイル３と、が存在する。
【００４６】
図５は、Ｕ字形の固定子２を有するリニアモータのための可能なトポロジーを示し、単一の磁石５が空隙領域１０内において、即ち「Ｕ」字の２つの「脚部」の間において、移動することが分かる。
【００４７】
本発明の教示は、最新技術の教示と比較した時に、磁束変化を増大させる。従って、図５に示すように、空隙領域１０内に少なくとも１つの透磁性要素２０を配列することが提案される。
【００４８】
従って、本発明のこの構成は、図５において示されるように、それらの各々が磁石５の一方の側に配設された２つの透磁性要素２０の使用を提案することが分かる。従って、透磁性要素２０は、第１の構成部分２０Ａと第２の構成部分２０Ｂとにより形成され、各構成部分は、磁石５の一方の側の側部に（隣接して）配設されることが理解される。従って、第１の構成部分２０Ａ及び第２の構成部分２０Ｂは、磁性体５の対向する端部に配設されることが図５において示される。
【００４９】
本発明の好適で且つ有効な構成において、第１の構成部分２０Ａ及び第２の構成部分２０Ｂの両方が、鉄である全く同一の材料で製作される。
【００５０】
別の十分に有効な方式において、第１の構成部分２０Ａは、第１の透磁性材料により、更に第２の構成部分２０Ｂは、第２の透磁性材料により製作可能である。
【００５１】
明らかに、第１と第２の透磁性材料は、この材料の表面上の磁束の線の通過を容易にするものであるべきであることが理解される。
【００５２】
この意味において、当業者は、材料がそれらの透磁率、即ち、反磁性材料（真空の透磁率よりも低い透磁率を有する）と、常磁性材料（真空の透磁率よりも僅かに大きい透磁率を有する）と、強磁性材料（真空の透磁率よりも数百倍、更には数千倍も大きい透磁率を有する）と、に従って分類され得るという事実を知っている。
【００５３】
より具体的には、第１の透磁性材料及び第２の透磁性材料は、鉄、ニッケル、鋼、コバルト及びそれらのそれぞれの合金等の強磁性材料として理解されるべきである。
【００５４】
従って、本発明の有効で且つ非限定的な構成は、鉄製の第１の構成部分２０Ａとニッケル製の第２の構成部分２０Ｂとの形態により構成される。
【００５５】
リニアモータ１内の透磁性要素２０を固定する好適な形態が、図９に示される。透磁性要素２０は、磁性体５に隣接してリニアモータの移動体１８に固定されることが分かる。
【００５６】
従って、移動体１８は、透磁性要素２０と磁性体５とにより形成された、セット（集合体）のための支持体（型）として作用する。従って、リニアモータ１の作動中に、移動体１８が透磁性要素２０及び磁性体５と共に移動することが理解される。
【００５７】
１つの方式において、移動体１８は、アルミニウム製であり得る。いずれにせよ、これは、本発明の限定的な特徴として考慮されるべきではない。
【００５８】
当業者により知られるように、リニアモータ１の移動体１８は、従来のモータの回転子（可動部分）に相当する、モータの活動的部分として理解されるべきである。
【００５９】
更に、本発明の完全に有効な構成は、透磁性要素２０が、電気モータの製造において使用される鋼製刃２５のような複数の鋼製刃２５により形成されることを提案する。更に、図９に示すように、鋼製刃２５は、要素２０に沿って順次配置されることが提案される。
【００６０】
従って、本明細書で提案されるような透磁性要素２０の配列は、空隙１０を介して移動する、磁束の線の抵抗を減少させる、言い換えれば、透磁性要素２０は、（磁）束の線を引き付けさせ、それにより、磁石５の変位に基づいて磁束変化率が示される、図８のグラフに示すように、磁束変化を増大させる。従って、シミュレーションにより得られた量は、透磁性要素２０を使用しないモータと、本発明の教示によるモータと、に対して強調される。
【００６１】
本発明の教示に基づいて、即ち透磁性要素２０の配列により、その空隙１０内に一対の磁石を具備する、リニアモータ（例えば図４に示されるモータ等）により得られるものと同様の磁束変化率が得られる。しかしながら、図５に示される構成は、唯一つの単一の磁性体５を使用することが強調される。
【００６２】
従って、本発明の教示は、Ｕ字形のトポロジーを具備していて且つ従ってその空隙において唯一つの磁性体を使用する、リニアモータにとって有利であることが好ましいことが理解される。
【００６３】
本発明の教示によれば、そして図５に示されるように、磁石５の移動はまた、透磁性要素２０の（そして結果的に構成部分２０Ａ及び２０Ｂの）移動を引き起こし、従って、磁性体５の運動パラメータは、透磁性要素２０の運動パラメータと協働することが理解される。
【００６４】
言い換えれば、そして図５の表示を参照として採用して、磁石５が左に移動すると、透磁性要素２０（及び構成部分２０Ａ及び２０Ｂ）もまた左に移動する。同様に、磁石５が右に動くと、透磁性要素２０もまた右に動く。
【００６５】
従って、そして図５（ａ）の図を考慮すると、固定子２の境界限界Ａ及びＡ’が固定子２の端面２Ａ及び２Ｂによりそれぞれ画定され、その後、磁性体５の運動パラメータの最外点において、透磁性要素２０の第１の構成部分２０Ａは、境界限界Ａを超えて移動する。
【００６６】
この状況において、隣接する構成部分、即ち透磁性要素２０の第２の構成部分２０Ｂは、その大部分が空隙領域１０内に配設され、即ち、第２の構成部分２０Ｂは、その大部分が境界限界Ａ及びＡ’により画定される領域内に配設される。
【００６７】
大部分が配設されることにより、第２の構成部分２０Ｂは、図１０に示されるような、境界限界Ａ’に正確に配設されるその外壁２１を有するであろうこと、あるいは第２の構成部分２０Ｂの少数部分（その長さの５０％未満）でさえもが、図１１に示されるように、境界限界Ａ’を超えて、即ち境界限界Ａ’により画定される領域の外側に配設されるであろうことが理解される。
【００６８】
磁性体５の運動パラメータの最外点は、図５（ａ）及び５（ｂ）に示される状況のように、磁石５の方向が変化する前の、磁石５の最大変位を意味すると理解される。
【００６９】
図５（ａ）について前述したものと一致して、図５（ｂ）は、磁石５の運動パラメータを示し、該変位の最外点において第２の構成部分２０Ｂが境界限界Ａ’を超える点に移動する一方で、第１の構成部分２０Ａは、大部分が空隙領域１０内に配設される。
【００７０】
大部分が配設されることにより、第１の構成部分２０Ａは、図１２に示されるように、境界限界Ａ上に正確に配設されるその外壁２１を有するであろうこと、あるいは第１の構成部分２０Ａの少数部分（その長さの５０％未満）でさえもが、図１３に示されるように、境界限界Ａを超えて、即ち境界限界Ａにより画定される領域の外側に配置されるであろうことが理解される。
【００７１】
更に、磁性体５のサイズ決定に関して、磁石５の運動パラメータの最外点において、磁性体の第１の表面５Ａが境界限界Ａ上に配設されるであろう一方で、第２の表面５Ｂが図５（ａ）に示されるように、空隙シャフト（軸）Ｃ’上に配設されることが提案される。
【００７２】
前の段落で述べた説明によれば、図５（ａ）に示されるものに対向する点において、磁性体の第２の表面５Ｂが、境界限界Ａ’上に配設される一方で、第１の表面５Ａ（第２の表面５Ｂに対向する）は、図５（ｂ）に示されるように、リニアモータ１の空隙シャフトＣ上に配設される。
【００７３】
従って、リニアモータ１の空隙シャフトＣ及びＣ’の各々は、図５（ａ）及び５（ｂ）に示されるように、固定子２の内面２Ｃ及び２Ｃ’によりそれぞれ画定されることが理解される。
【００７４】
図５（ａ）及び５（ｂ）の図に加えて、図５（ｃ）は、磁石５の変位が図５（ａ）及び５（ｂ）に表されるシナリオ（筋書き）の中間点において見られるシナリオを示す。
【００７５】
更に、透磁性要素２０及び磁性体５のサイズ決定に関して、そして特に図１０を参照すると、磁石５に関する限り、透磁性要素２０の第１の距離Ｄ１は、磁石の厚さＥ以下のオーダーであることが好ましい。
【００７６】
言い換えれば、第１の距離Ｄ１は、図１１によれば、磁石５の厚さＥ以下であることが理解される。従って、Ｄ１≦Ｅであることが理解される。
【００７７】
図５に示されるように、本発明のこの構成は、第１と第２の構成部分２０Ａ及び２０Ｂが等しい寸法を有すること、即ち該構成部分が寸法的に同一であることを提案する。何れにせよ、構成部分２０Ａ又は２０Ｂがお互いに異なるサイズを有する、リニアモータの構成は、全く有効である。
【００７８】
従って、図６は、第２の構成部分２０Ｂが第１の構成部分２０Ａの長さよりも大きい長さＬを有する方式を示す。明らかに、逆のシナリオも完全に許容可能であることが理解される。この提案により、リニアモータ１の製造者は、構成部分２０Ａ及び２０Ｂの製造において使用される材料に応じて、構成部分２０Ａ及び２０Ｂの各々をサイズ決定する可能性を有する。更に図６に関して、図６（ａ）及び６（ｂ）は、磁石５の最大変位点を示すことが分かる。構成部分２０Ａ及び２０Ｂの長さＬに関して解説された差異は、本発明の制限を表すべきではないので、透磁性要素２０の厚さＥもまたお互いに寸法的に異なり得るであろう。
【００７９】
明らかに、本発明を適用することは、図５、６、７及び１０から１３に示される固定子２に限定されないので、透磁性要素２０の使用は、リニアモータに関して公知の任意のトポロジーにおいて可能であり、そして本発明において検討され且つ例示されたものに関してだけではないことが理解される。
【００８０】
リニアモータのトポロジーがどのようなものであっても、本明細書で既に述べたように、構成部分２０Ａ及び２０Ｂが等しい又は異なるサイズ決定を有する方式を適用することが十分に可能であることが理解される。
【００８１】
従って、透磁性要素２０を備えたリニアモータ１が説明され、透磁性要素２０の運動パラメータは、リニアモータ１の磁性体５（磁石）の運動パラメータと協働する。
【００８２】
本発明の教示は、固定子２及び空隙１０を介して循環する、磁束変化の増大をもたらし、例えば、単一の磁性体を備えたリニアモータが、一対の磁石を具備する、モータと同様の磁束変化率を有することを提供する。
【００８３】
前述の説明と調和して、本発明は更に、本発明の教示によるリニアモータ１を備えた圧縮機を対象とする。一方式において、該圧縮機は、冷凍庫／冷蔵庫又は空調装置等の冷却装置において使用される。
【００８４】
従って、本発明は、本明細書において定義されたリニアモータを具備する、冷却装置を更に提案する。
【００８５】
前述の説明と調和して、リニアモータ１に適用可能な固定子２もまた提案される。
【００８６】
最後に、透磁性要素２０がシート成形コンパウンド（複合材）（ＳＭＣ）製である、本発明の構成は、完全に有効である。
【００８７】
好適な実施の形態の一例を説明してきたが、本発明の範囲は、添付の特許請求の範囲の内容によってのみ限定される、別の可能な変形案を包含し、潜在的な等価案がその中に含まれることが理解されるべきである。
【図１】
2020089251.tif 000003
【図２】
2020089251.tif 000004
【図３】
2020089251.tif 000005
【図４】
2020089251.tif 000006
【図５】
2020089251.tif 000007
【図６】
2020089251.tif 000008
【図７】
2020089251.tif 000009
【図８】
2020089251.tif 000010
【図９】
2020089251.tif 000011
【図１０】
2020089251.tif 000012
【図１１】
2020089251.tif 000013
【図１２】
2020089251.tif 000014
【図１３】
2020089251.tif 000015
【外国語明細書】
2020089251000001.pdf